(57)【要約】      （修正有）【課題】容器本体から外嵌合部を解除しやすい包装用容器の蓋を提供することにある。【解決手段】蓋体フランジ部１は押圧部２を有し、この押圧部はこの蓋体フランジ部のうち他の部分より高い位置にある頂上部３と、この頂上部の周縁から下方に傾斜して他の部分と緩勾配で連接している傾斜部４とを有し、この頂上部とこの傾斜部とは、内角が鈍角な角部５を介して連接していることにより、押圧にてこの角部が下方に屈折しやすく、この角部に連動してこの頂上部及び傾斜部が下方に凹みやすいため、この押圧部が外方に拡開して外嵌合部が外れやすくなる。したがって、過度に加圧したり両手を使ったりすることなく、片手で容易に蓋体を容器本体から取り外し、開封することができる。【選択図】図１
2018104034.tif 000002
【特許請求の範囲】
【請求項１】
容器本体に環状的に外嵌合するフランジ部を少なくとも備え、
前記フランジ部は、押圧部を有し、
前記押圧部は、他の部分より高い位置にある頂上部と、当該頂上部の周縁から下方に傾斜して他の部分と緩勾配で連接している傾斜部とを有し、
前記頂上部と前記傾斜部とは、内角が鈍角な角部を介して連接している
ことを特徴とする包装用容器の蓋体。
【請求項２】
前記傾斜部が、前記頂上部の内側周縁と連接している第１の傾斜部を有する
ことを特徴とする請求項１に記載の包装用容器の蓋体。
【請求項３】
前記傾斜部が、前記第１の傾斜部の両脇に位置し、前記頂上部の両側周縁と連接している一対の第２の傾斜部とを有する
ことを特徴とする請求項２に記載の包装用容器の蓋体。
【請求項４】
前記傾斜部が、前記第１の傾斜部の両脇に位置し、当該第１の傾斜部及び前記第２の傾斜部と連接している一対の第３の傾斜部を有する
ことを特徴とする請求項３に記載の包装用容器の蓋体。
【請求項５】
前記押圧部は、前記第１の傾斜部の下端縁と連接している平坦部を有する
ことを特徴とする請求項２乃至４に記載の包装用容器の蓋体。
【発明の詳細な説明】
【技術分野】
【０００１】
本発明は、例えば、小売店で販売される食品を収納する包装用容器の蓋体に関するものである。
【背景技術】
【０００２】
従来から、スーパーマーケットやコンビニエンスストア等の小売店で販売される弁当や惣菜等の食品を収納する包装用容器は、消費者が食品を食すときの動作を想定して設計されてきた。例えば、包装用容器の容器本体に嵌合された蓋体の取り外しに関する構造は、手間を掛けずに食事の準備をしたい消費者にとって必要な要素であった。一般的に、蓋体は容器本体に外嵌合又は内嵌合して装着されており、それぞれ嵌合状態が異なるため、蓋体の取り外しに関する構造には工夫の余地があった。
【０００３】
例えば、特許文献１では、容器本体のフランジ部分（鍔部分）に蓋体のフランジ部分（鍔部分）が外嵌合して装着される形態であって、具体的には、蓋体のフランジ部分のうち、四つ角の対角する二箇所に設けられている上方に突出した膨出部が開示されている（「コーナー部部分拡大図」及び「使用状態参考図参照」参照。）。膨出部は、他の部分より高い位置にある平坦状の頂上部と、頂上部の周縁から下方に傾斜している傾斜部を有している。
【先行技術文献】
【特許文献】
【０００４】
【特許文献１】意匠登録第１３５２５１１号
【発明の概要】
【発明が解決しようとする課題】
【０００５】
しかしながら、上述した特許文献１では、蓋体のフランジ部に対し、膨出部が所定の角部分を介して部分的に突出していることにより、頂上部及び傾斜部が下方に凹んでも、これらの変形に対して他の部分が追従して変形しにくい。すなわち、膨出部に対する押圧力は、蓋体のフランジ部のうち、他の部分の変形（特に、フランジ部が外方に拡開して嵌合部分が外れる変形）には寄与しにくいため、上述した特許文献１は、単に消費者が包装用容器の角をつまみやすくして、嵌合部分を外しやすくしたものにすぎない。
【０００６】
一般的に、外嵌合式の蓋体を容器本体から取り外す場合、蓋体のフランジ部を下から上にめくりあげることにより、容器本体のフランジ部から蓋体の外嵌合部が離れるため、嵌合が解除されて蓋体が取り外される。すなわち、容器本体のフランジ部から蓋体の外嵌合部が離れるように蓋体のフランジ部を変形させれば、過度に力を加えたり両手を使ったりすることなく、片手でも容易に蓋体を容器本体から取り外すことができるはずである。
【０００７】
このような外嵌合式における包装用容器の蓋体の開封に関する未解決の課題に対し、発明者等は創意工夫の末、従来技術と全く異なる技術的思想に基づいた新たな包装用容器の開発に行き着いた。すなわち、消費者が特別なことをすることなく、従来と同様、自然な動きでスムーズに蓋体を開封するために、外力により変形しやすい蓋体のフランジ部の構造を盛り込んだ包装用容器である。
【０００８】
そこで、本発明の目的は、容器本体から外嵌合部を解除しやすい包装用容器の蓋体を提供することにある。
【課題を解決するための手段】
【０００９】
すなわち、本発明による包装用容器の蓋体は、容器本体に環状的に外嵌合するフランジ部を少なくとも備え、上記フランジ部は、押圧部を有し、上記押圧部は、他の部分より高い位置にある頂上部と、上記頂上部の周縁から下方に傾斜して他の部分と緩勾配で連接している傾斜部とを有し、上記頂上部と上記傾斜部とは、内角が鈍角な角部を介して連接していることを特徴としてもよい。
【００１０】
また、上記傾斜部が、上記頂上部の内側周縁と連接している第１の傾斜部を有していてもよい。
【００１１】
また、上記傾斜部が、上記第１の傾斜部の両脇に位置し、上記頂上部の両側周縁と連接している一対の第２の傾斜部を有していてもよい。
【００１２】
また、上記傾斜部が、上記第１の傾斜部の両脇に位置し、上記第１の傾斜部及び上記第２の傾斜部と連接している一対の第３の傾斜部を有していてもよい。
【００１３】
また、上記押圧部は、上記第１の傾斜部の下端縁と連接している平坦部を有していてもよい。
【００１４】
「環状的に外嵌合する」とは、包装用容器及び容器本体の形状（矩形状、円形状、又は楕円形状等）に限定されることなく、容器本体のフランジ部分の略全周に外嵌合することを意味してもよい。
【００１５】
「他の部分」とは、蓋体のフランジ部のうち、四つ角部分又は押圧部を除いた部分が該当し、押圧部に隣接する部分でもよい。
【００１６】
「他の部分より高い位置」とは、蓋体のフランジ部の中で最も高い位置、上記フランジ部のうち上記押圧部に隣接する部分より高い位置でもよく、蓋のフランジ部の中で押圧部から離れたところで一部上方に突出した部分と比較して低い位置でもよい。
【００１７】
「傾斜部」及び「角部」は、単数に限らず、複数でもよい。
【００１８】
「内角が鈍角な角部」とは、頂上部の周縁にも該当してもよく、成形上の丸みは除いてもよい。
【発明の効果】
【００１９】
本発明による包装用容器の蓋体では、容器本体に環状的に外嵌合するフランジ部は押圧部を有し、上記押圧部は他の部分より高い位置にある頂上部と、上記頂上部の周縁から下方に傾斜して他の部分と緩勾配で連接している傾斜部とを有し、上記頂上部と傾斜部とは、内角が鈍角な角部を介して連接していることにより、押圧にて上記角部が下方に屈折しやすく、上記角部に連動して上記頂上部及び上記傾斜部が下方に凹みやすいため、上記押圧部が外方に拡開して外嵌合部が外れやすくなる。したがって、過度に加圧したり両手を使ったりすることなく、片手で容易に蓋体を容器本体から取り外し、開封することができる。
【００２０】
また、上記傾斜部が、上記頂上部の内側周縁と連接している第１の傾斜部を有していることにより、上記第１の傾斜部を支点として、上記内側周縁にも該当する上記角部が下方に屈折しやすく、上記内側周縁に連動して上記頂上部が下方に凹みやすいため、上記押圧部が外方に拡開して外嵌合部が外れやすくなる。
【００２１】
また、上記傾斜部が、上記第１の傾斜部の両脇に位置し、上記頂上部の両側周縁と連接している一対の第２の傾斜部とを有することにより、下方に屈折する上記内側周縁にも該当する上記角部に連動して下方に凹む上記頂上部に連動して、上記第２の傾斜部が上記両側周縁にも該当する上記角部を介して下方に凹みやすいため、より上記押圧部が外方に拡開して外嵌合部が外れやすくなる。
【００２２】
また、上記傾斜部が、上記第１の傾斜部の両脇に位置し、上記第１の傾斜部及び第２の傾斜部と連接している一対の第３の傾斜部を有することにより、下方に屈折する上記内側周縁にも該当する上記角部に連動して下方に凹む上記頂上部と、上記頂上部に連動して上記両側周縁にも該当する上記角部を介して下方に凹む上記第２の傾斜部とに連動して、上記第３の傾斜部が下方に凹みやすいため、より一層上記押圧部が外方に拡開して外嵌合部が外れやすくなる。
【００２３】
また、上記押圧部は、上記第１の傾斜部の下端縁と連接している平坦部を有していていることにより、上記平坦部を支点として、上記下端縁にも該当する上記角部を介して上記第１の傾斜部が急勾配に傾く動作に連動して上記第１の連接角部が下方に屈折しやすく、上記内側周縁にも該当する上記角部に連動して上記頂上部が下方に凹みやすいため、上記押圧部が外方に拡開して外嵌合部が外れやすくなる。
【図面の簡単な説明】
【００２４】
【図１】本包装用容器の容器本体と蓋体とを組み合わせた状態の斜視図である。
【図２】本包装用容器の蓋体の角部分を拡大した平面図ある。
【図３】本包装用容器の蓋体の角部分を拡大した正面図ある。
【図４】本包装用容器の蓋体の角部分を拡大した端面図である。
【図５】本包装用容器の容器本体と蓋体とを組み合わせた状態の角部分を拡大した端面図である。
【発明を実施するための形態】
【００２５】
以下、図１又は図２を参照しつつ、本実施形態による包装用容器の蓋体（以下、「本包装用容器の蓋体」ともいう。）の概要を説明する。
【００２６】
図１に示すように、本包装用容器の蓋体は、容器本体Ｍに環状的に外嵌合する蓋体フランジ部１を少なくとも備え、この蓋体フランジ部は、押圧部２を有し、この押圧部は、他の部分より高い位置にある頂上部３と、この頂上部の周縁から下方に傾斜して他の部分と緩勾配で連接している傾斜部４とを有し、この頂上部とこの傾斜部とは、内角が鈍角な角部５を介して連接していてもよい。
【００２７】
また、図２に示すように、傾斜部４が、頂上部３の内側周縁と連接している第１の傾斜部４１を有していてもよい。
【００２８】
また、傾斜部４が、第１の傾斜部４１の両脇に位置し、頂上部３の両側周縁と連接している一対の第２の傾斜部４２，４２を有していてもよい。
【００２９】
また、傾斜部４が、第１の傾斜部４１の両脇に位置し、この第１の傾斜部及び第２の傾斜部４２，４２と連接している一対の第３の傾斜部４３，４３を有していてもよい。
【００３０】
また、押圧部２は、第１の傾斜部４１の下端縁と連接している平坦部６を有していてもよい。
【００３１】
次に、図１〜図５を参照しつつ、本包装用容器の詳細な構造について説明する。
【００３２】
図１に示す本包装用容器は、例えば、寿司を収納する容器本体Ｍと、この容器本体に装着される蓋体Ｎとを備えていてもよい。載置された寿司の消費者が本包装用容器と向き合う通常の向き（以下では、この向きを基準としてもよく、本包装用容器の正面をこの向きとしてもよい。）にて平面視すると、本包装用容器は、平面視で長手縁と短手縁とを有する横長の略長方形状でもよい。本包装用容器は、上下左右対称の形状であってもよい。
なお、包装用容器に収納されるものは、寿司以外の食品でもよい。包装用容器の外形は、長方形状に限らず、円形状や楕円形状でもよい。
【００３３】
容器本体Ｍは、寿司が載置される平坦状の載置部（付番しない）と、この載置部の周縁から外方に延出する本体フランジ部Ｍ１とを備えていてもよい。容器本体Ｍは、この容器本体の中心点に対する点対称な図形であってもよく、これにより容器本体自体の剛性を高めてもよい。
なお、載置部の形状は、平坦状に限らず、凹状や凸状でもよく、点対称であってもなくてもよい。
【００３４】
本体フランジ部Ｍ１は、平面視で長手縁と短手縁とを有する横長の略長方形状でもよい。本体フランジ部Ｍ１は、二等分線上かつ外方に向かって先細りつつ上向きに反り返った４つの本体フランジ角部Ｍ１１とを有していてもよい。本体フランジ部Ｍ１の長手縁側の双方及び短手縁側の双方は、容器本体Ｍの中心に対する点対称な形状でもよい。
なお、本体フランジ部Ｍ１の形状は、平面視で長方形状に限らず、円形状や楕円形状でもよく、点対称であってもなくてもよい。
【００３５】
蓋体Ｎは、平坦状の蓋体天面部Ｎ１と、この蓋体天面部の周縁から下方に拡開する平坦状の蓋体側壁部Ｎ２と、この側壁部の下端から外方に延出する蓋体フランジ部１とを備えていてもよい。蓋体Ｎは、容器本体Ｍを外嵌合にて閉蓋する構造でもよく、蓋体フランジ部１の形状が本体フランジ部Ｍ１の形状と一致して外嵌合する構造でもよい。
【００３６】
蓋体天面部Ｎ１は、平面視で角部分が隅切られた略八角形状でもよい。蓋体側壁部Ｎ２は、蓋体天面部Ｎ１の角部分を含む周縁から下方に平面状に拡開していてもよい。蓋体側壁部Ｎ２の水平方向の端面は、蓋体天面部Ｎ１と同等の形状（略八角形状）でもよい。蓋体天面部Ｎ１及び蓋体側壁部Ｎ２の角部分にて隅切り部（付番しない）が形成されてもよい。
なお、蓋体天面部Ｎ１の形状は、平面視で八角形状に限らず、矩形状や円形状や楕円形状でもよく、隅切り部はあってもなくてもよい。
【００３７】
蓋体フランジ部１は、平面視で長手縁と短手縁とを有する横長の略長方形状でもよい。蓋体フランジ部１は、長手蓋体フランジ部１ａと、この長手蓋体フランジ部と略直角に交わる短手蓋体フランジ部１ｂと、この長手蓋体フランジ部及び短手蓋体フランジ部と一体的に形成され、かつこの蓋体フランジ部の角部分にも該当する押圧部２とを備えていてもよい。
なお、蓋体フランジ部１は、平面視で長方形状に限らず、円形状や楕円形状でもよい。押圧部２は、平面視で略円形状や楕円形状の蓋体フランジ部の一部に一体的に形成されていてもよい。
【００３８】
押圧部２は、長手蓋体フランジ部１ａ及び短手蓋体フランジ部１ｂの端部が外方に向かって上向きに反り返って（又は傾斜して）形成されていてもよい。押圧部２は、最も高い位置にある平坦状の頂上部３と、この頂上部の周縁から下方に傾斜し、他の部分（長手蓋体フランジ部１ａ及び短手蓋体フランジ部１ｂを含む）と連接している傾斜部４と、この傾斜部の下端縁と連接している平坦部６とを有していてもよい。押圧部２は、二等分線を境に左右対称の形状であってもよい。
【００３９】
頂上部３は、押圧部２の二等分線に直交する内側周縁にも該当する内角が鈍角な第１の連接角部５１と、この第１の連接角部とつながっており、かつ長手蓋体フランジ部１ａ又は短手蓋体フランジ部１ｂに直交する両側周縁にも該当する内角が鈍角な一対の第２の連接角部５２，５２と、この第１の連接角部と対向し、かつ湾曲した外側周縁にも該当する第３の連接角部５３とを有していてもよい。頂上部３と傾斜部４とは、内角が鈍角な角部５として、第１の連接角部５１、第２の連接角部５２，５２、及び第３の連結部５３を介して連接していてもよい。
なお、頂上部は、球面上に膨出していてもよい。第１の連接角部５１の角度（内角）は、１２５〜１４５°でもよく、１３０〜１４０°が好ましく、１３３〜１３７°がより好ましい。第２の連接角部５２，５２の角度（内角）は、１４０〜１６０°でもよく、１４５〜１５５°が好ましく、１４８〜１５２°がより好ましい。第３の連接角部５３の角度（内角）は、１５０〜１７０°でもよく、１５５〜１６５°が好ましく、１５８〜１６２°がより好ましい。
【００４０】
傾斜部４は、第１の連接角部５１を介して頂上部３と連接している第１の傾斜部４１と、この第１の傾斜部の両脇に位置し、第２の連接角部５２，５２を介してこの頂上部と連接している一対の第２の傾斜部４２，４２と、この第１の傾斜部及び第２の傾斜部と内角が鈍角な所定の角部（符番しない）を介して連接している一対の第３の傾斜部４３，４３と、第３の連接角部５３を介してこの頂上部と連接している第４の傾斜部４４とを有していてもよい。
なお、第１の傾斜部４１、第２の傾斜部４２，４２、第３の傾斜部４３，４３、及び第４の傾斜部４４は、平坦状でも湾曲した凹状又は凸状であってもよい。
【００４１】
第１の傾斜部４１及び第３の傾斜部４３，４３の下端縁は、長手蓋体フランジ部１ａ及び短手蓋体フランジ部１ｂの内側の下端縁と同一の高さでつながっていてもよい。第２の傾斜部４２，４２は、長手蓋体フランジ部１ａ又は短手蓋体フランジ部１ｂの上面と一体的かつ緩勾配で滑らかに連接していてもよい。第３の傾斜部４３，４３は、長手蓋体フランジ部１ａ及び短手蓋体フランジ部１ｂの内側面と一体的かつ緩勾配で滑らかに連接していてもよい。第４の傾斜部４４は、長手蓋体フランジ部１ａ及び短手蓋体フランジ部１ｂの外側面と一体的かつ緩勾配で滑らかに連接していてもよい。これらの構造により、押圧部分から離れた第１の傾斜部４１、第２の傾斜部４２，４２、第３の傾斜部４３，４３、及び第４の傾斜部４４の端部を介して、押圧部２の変形に追従して長手蓋体フランジ部１ａ又は短手蓋体フランジ部１ｂが変形しやすくなる。
【００４２】
平坦部６は、第１の連接角部５１と略平行な直線状で、第１の傾斜部４１の下端縁にも該当する第４の連接角部５４と連接していてもよい。平坦部６の高さは、外嵌合部より高い位置でもよく、これにより外嵌合部が外れやすくなってもよい。
なお、平坦部６の内側周縁は、側壁部Ｎ２の隅切り部と連接していてもよい。平坦部６の幅（第４の連接角部５４から平坦部６の内側周縁までの距離）は、３２〜４２ｍｍでもよく、３４〜４０ｍｍが好ましく、３６〜３８ｍｍがより好ましく、ヒトの平均的な親指の先端が入る距離であれば限定はない。
【００４３】
次に、蓋体Ｎが容器本体Ｍに装着した状態について説明する。
【００４４】
図示するように、蓋体Ｎが容器本体Ｍに装着した状態では、本体フランジ部Ｍ１に蓋体フランジ部１が外嵌合すると共に、本体フランジ角部Ｍ１１の表面から隙間を空けて押圧部２が覆い被さっていてもよい（図５参照）。すなわち、蓋体フランジ部１の外方かつ下向きに延出した部分に設けてある段差部（符番しない）が、本体フランジ部Ｍ１の外方かつ下向きに延出した部分の最下端に設けてある段差部（符番しない）に当接することで、頂上部３、第１の傾斜部４１、第２の傾斜部４２，４２、第３の傾斜部４３，４３、及び第４の傾斜部４４の裏面が、本体フランジ角部Ｍ１１の表面に接しない状態を形成してもよい。
なお、本体フランジ角部Ｍ１１の表面から押圧部２の裏面までの距離は、３〜６ｍｍでもよく、３．５〜５．５ｍｍが好ましく、４〜５ｍｍがより好ましい。
【００４５】
次に、本包装用容器の閉蓋状態から開蓋状態にする蓋体Ｎの開蓋機構の動作について説明する。
【００４６】
例えば、右利きの場合、まず、上から親指で押圧部２を押さえると共に、下から人差し指で蓋体フランジ部１を押さえてもよい。次に、親指で第１の連接角部５１を加圧すると、この第１の連接角部が下方に屈折することにより、この第１の連接角部に隣接する頂上部３及び第１の傾斜部４１、この第１の連接角部とつながっている第２の連接角部５２，５２に隣接する第２の傾斜部４２，４２、並びにこの第１の傾斜部及び第２の傾斜部に隣接する第３の傾斜部４３，４３が連動して下方に凹み、第３の連接角部５３に隣接する第４の傾斜部４４及びこの第４の傾斜部の両脇に位置する外嵌合部が外方に拡開するため、人差し指で蓋体フランジ部１をめくりあげる（上方にずらす）と、この押圧部が本体フランジ角部Ｍ１１から外れ、蓋体Ｎが取り外されてもよい。
【００４７】
他には、まず、上から親指で平坦部６を押さえつつ、第１の傾斜面４１に触れ、下から人差し指で蓋体フランジ部１を押さえてもよい。次に、人差し指で蓋体フランジ部１をめくりあげる（上方にずらす）と、第１の連接角部５１が親指に当って下方に屈折することにより、この第１の連接角部に隣接する頂上部３及び第１の傾斜部４１、この第１の連接角部とつながっている第２の連接角部５２，５２に隣接する第２の傾斜部４２，４２、並びにこの第１の傾斜部及び第２の傾斜部に隣接する第３の傾斜部４３，４３が連動して下方に凹み、第３の連接角部５３に隣接する第４の傾斜部４４及びこの第４の傾斜部の両脇に位置する外嵌合部が外方に拡開するため、この押圧部が本体フランジ角部Ｍ１１から外れ、蓋体Ｎが取り外されてもよい。
【００４８】
このように、本実施形態における包装用容器の蓋体では、蓋体フランジ部１は押圧部２を有し、この押圧部はこの蓋体フランジ部のうち他の部分より高い位置にある頂上部３と、この頂上部の周縁から下方に傾斜して他の部分と緩勾配で連接している傾斜部４とを有し、この頂上部とこの傾斜部とは、内角が鈍角な角部５を介して連接していることにより、押圧にてこの角部が下方に屈折しやすく、この角部に連動してこの頂上部及び傾斜部が下方に凹みやすいため、この押圧部が外方に拡開して外嵌合部が外れやすくなる。したがって、過度に加圧したり両手を使ったりすることなく、片手で容易に蓋体を容器本体から取り外し、開封することができる。
【００４９】
さらに、傾斜部４が、頂上部３の内側周縁（第１の連接角部５１）と連接している第１の傾斜部４１を有していることにより、この第１の傾斜部を支点として、この第１の連接角部が下方に屈折しやすく、この第１の連接角部に連動して頂上部が下方に凹みやすいため、押圧部２が外方に拡開して外嵌合部が外れやすくなる。
【００５０】
さらに、傾斜部４が、第１の傾斜部４１の両脇に位置し、頂上部３の両側周縁（第２の連接角部５２，５２）と連接している一対の第２の傾斜部４２，４２とを有することにより、下方に屈折する第１の連接角部５１に連動して下方に凹むこの頂上部に連動して、この第２の傾斜部が第２の連接角部５２，５２を介して下方に凹みやすいため、より押圧部２が外方に拡開して外嵌合部が外れやすくなる。
【００５１】
さらに、傾斜部４が、第１の傾斜部４１の両脇に位置し、この第１の傾斜部及び第２の傾斜部４２，４２と連接している一対の第３の傾斜部４３，４３を有することにより、下方に屈折する第１の連接角部５１に連動して下方に凹む頂上部３と、この頂上部に連動して第２の連接角部５２，５２を介して下方に凹む第２の傾斜部４２，４２とに連動して、この第３の傾斜部が下方に凹みやすいため、より一層押圧部２が外方に拡開して外嵌合部が外れやすくなる。
【００５２】
また、押圧部２は、第１の傾斜部４１の下端縁（第４の連接角部５４）と連接している平坦部６を有していていることにより、この平坦部を支点として、この第４の連接角部を介して第１の傾斜部４１が急勾配に傾く動作に連動して第１の連接角部５１が下方に屈折しやすく、この第１の連接角部に連動して頂上部が下方に凹みやすいため、押圧部２が外方に拡開して外嵌合部が外れやすくなる。
【００５３】
なお、本実施形態における容器本体Ｍ及び蓋体Ｎは、例えば真空成形、圧空成形、真空圧空成形、両面真空成形、熱板成形等のシート成形で、合成樹脂シートを熱成形することにより形成されてもよい。合成樹脂シートとしては、例えば、ポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば、発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５〜０．５ｍｍであればよく、好ましくは０．１８〜０．４５ｍｍ、より好ましくは０．２〜０．３５ｍｍである。
【符号の説明】
【００５４】
Ｍ        容器本体
Ｍ１      本体フランジ部
Ｍ１１    本体フランジ角部
Ｎ        蓋体
Ｎ１      蓋体天面部
Ｎ２      蓋体側壁部
１        蓋体フランジ部
１ａ      長手蓋体フランジ部
１ｂ      短手蓋体フランジ部
２        押圧部
３        頂上部
４        傾斜部
４１      第１の傾斜部
４２      第２の傾斜部
４３      第３の傾斜部
４４      第４の傾斜部
５        角部
５１      第１の連接角部
５２      第２の連接角部
５３      第３の連接角部
５４      第４の連接角部
６        平坦部
【図１】
2018104034.tif 000003
【図２】
2018104034.tif 000004
【図３】
2018104034.tif 000005
【図４】
2018104034.tif 000006
【図５】
2018104034.tif 000007